(57)【特許請求の範囲】
【請求項１】
移動端末の位置情報を利用するアプリケーションシステムが接続された関門階梯交換機及び複数の無線基地局が接続された加入者階梯交換機を有する移動通信網における移動端末の位置情報通知システムにおいて、
無線基地局情報を基地局所在地情報に変換する基地局情報変換装置を設け、
前記加入者階梯交換機は、無線基地局からのデータを中継するに当たり、所定のデータに対して、基地局情報を付与して移動通信網に送信し、更に、前記関門階梯交換機は、前記アプリケーションシステム宛のデータを受信した場合であって、該アプリケーションシステムが移動端末の位置情報を必要とするか否かを判断して、必要な場合、前記基地局情報変換装置に、位置情報の変換を要求し、
前記基地局情報変換装置は、前記関門階梯交換機からの要求に基づき、該要求と共に受信した基地局情報を基地局所在地情報に変換して、要求した前記関門階梯交換機又前記アプリケーションシステムに送信することを特徴とする移動端末の位置情報通知システム。
【請求項２】
移動端末の位置情報を利用するアプリケーションシステムが接続された関門階梯交換機及び複数の無線基地局が接続された加入者階梯交換機を有する移動通信網における移動端末の位置情報通知システムにおいて、
無線基地局情報を基地局所在地情報に変換する基地局情報変換装置を設け、
前記加入者階梯交換機は、無線基地局からのデータを中継するに当たり、所定のデータに対して、基地局情報を付与して移動通信網に送信し、
前記アプリケーションシステムは、予め、前記所定のデータに付加された基地局情報を記憶する記憶手段を有し、前記アプリケーションシステムは、移動端末の位置情報が必要な場合、前記記憶手段に記憶した基地局情報を読み出して、前記基地局情報変換装置に、位置情報の変換を要求し、
前記基地局情報変換装置は、前記アプリケーションシステムからの要求に基づき、該要求と共に受信した基地局情報を基地局所在地情報に変換して、要求した前記関門階梯交換機又前記アプリケーションシステムに送信することを特徴とする移動端末の位置情報通知システム。
【請求項３】
請求項１又は２記載の移動端末の位置情報通知システムにおいて、該加入者階梯交換機は、ユーザ認証時、発呼時、着呼応答時及びチャネル切換時の少なくとも一つの所定のデータに対して、基地局情報を付与して移動通信網に送信することを特徴とする移動端末の位置情報通知システム。
【発明の詳細な説明】
【０００１】
【発明の属する技術分野】
本発明は、移動端末の位置情報通知システムに関する。
【０００２】
【従来の技術】
基地局の位置から、ＰＨＳ（Personal  Handy-phone System）の現在地を表示する技術は、従来から知られている。
【０００３】
例えば、特開平８−２６５８２６号公報（発明の名称：「簡易型携帯電話端末の現在位置表示方法とその装置」）には、簡易型携帯電話（ＰＨＳ）端末が、基地局から受けた基地局のＩＤ番号（ＣＳ−ＩＤ番号）を、携帯電話端末が所持する変換装置を用いて、位置情報に変換し、表示する発明が記載されている。
【０００４】
また、特開平９−１７２６７２号公報（発明の名称：「簡易型携帯電話システム」）には、簡易型携帯電話（ＰＨＳ）端末が、特殊番号がダイヤルして、基地局（ＣＳ）を通して、移動端末の現在位置周辺の地域情報が要求すると、基地局に接続された簡易型携帯電話（ＰＨＳ）サーバが、呼接続要求を中継した基地局の識別番号を、簡易型携帯電話サーバに設けた変換装置を用いて、位置情報に変換し、さらに、位置情報から移動端末の現在位置周辺の地域情報を検索して、その結果を音声信号に変換して、移動端末に送信する発明が記載されている。
【発明が解決しようとする課題】
しかしながら、特開平８−２６５８２６号公報に記載された発明では、移動端末側で、基地局情報の位置情報への変換装置と位置情報を得る為の特別の機能を備える必要があり、さらに、そのための処理を行う必要があるという問題がある。
【０００５】
また、特開平９−１７２６７２号公報に記載された発明は、ＰＨＳ端末の発信時の操作を契機とするもので、移動端末の操作を必要とするという問題がある。
【０００６】
また、特開平９−１７２６７２号公報に記載された発明は、発信時における移動端末側の操作を契機とするものであり、発信後、移動端末が移動して、無線ゾーンが切り替わった場合でも、位置情報は更新されないという問題がある。
【０００７】
また、特開平９−１７２６７２号公報に記載された発明の簡易型携帯電話サーバは、基地局のサービスエリア内の移動通信端末の発着信を含む呼制御を実施することから、加入者階梯交換機に相当するものと言える。して見ると、特開平９−１７２６７２号公報に記載された発明では、地域情報サービスを行う、全ての、加入者階梯交換機に基地局情報の位置情報へ変換する変換装置を設ける必要があるという問題がある。
【０００８】
本発明は、上記問題に鑑みなされたものであり、移動機において格別の装置又は処理を必要とせず、さらに、システムとして変換処理に係る装置及び位置情報通知の処理を減らした、移動機の無線ゾーンの変更にも対応可能な移動端末の位置情報通知システムを提供することを目的とするものである。
【０００９】
【課題を解決するための手段】
上記課題を解決するために、本件発明は、以下の特徴を有する課題を解決するための手段を採用している。
【００１０】
請求項１に記載された発明は、移動端末の位置情報を利用するアプリケーションシステム（例えば、図１におけるＷｅｂサーバ６２で動作するアプリケーション及びユーザ情報サーバ６３を含むシステム及びアプリケーションシステム６５）が接続された関門階梯交換機（例えば、図１におけるＰＧＷ４０、ＰＧＷ４１）及び複数の無線基地局（例えば、図１アンテナとＰＭＤＥから構成されている。）が接続された加入者階梯交換機（例えば、図１におけるＰＰＭ３０）を有する移動通信網（例えば、図１におけるＰＤＣ−Ｐ伝送路７０を含むネットワーク）における移動端末（例えば、図１におけるＭＳ１０）の位置情報通知システムにおいて、無線基地局情報を基地局所在地情報に変換する基地局情報変換装置（例えば、図１における変換装置５０、変換装置６４）を設け、前記加入者階梯交換機は、無線基地局からのデータを中継するに当たり、所定のデータに対して、基地局情報を付与して移動通信網に送信し、前記基地局情報変換装置は、前記関門階梯交換機又前記アプリケーションシステムからの要求に基づき、該要求と共に受信した基地局情報を基地局所在地情報に変換して、要求した前記関門階梯交換機又前記アプリケーションシステムに送信することを特徴とする。
【００１１】
請求項１記載の発明によれば、移動機において格別の装置又は処理を必要とせず、さらに、システムとして変換処理に係る装置及び位置情報通知の処理を減らした移動端末の位置情報通知システムを提供することができる。
【００１２】
請求項２に記載された発明は、請求項１記載の移動端末の位置情報通知システムにおいて、前記関門階梯交換機（例えば、図１におけるＰＧＷ４０）は、前記アプリケーションシステム宛のデータを受信した場合であって、該アプリケーションシステムが移動端末の位置情報を必要とするか否かを判断して、必要な場合、前記基地局情報変換装置（例えば、図１における変換装置５０）に、位置情報の変換を要求することを特徴とする。
【００１３】
請求項２記載の発明によれば、基地局情報変換装置は、関門階梯交換機から基地局情報の変換要求があった場合だけ変換処理を行えば良いので、効率的な変換処理を行うことができる。
【００１４】
請求項３に記載された発明は、請求項１記載の移動端末の位置情報通知システムにおいて、前記アプリケーションシステム（例えば、図３におけるＷｅｂサーバ６２で動作するアプリケーション及びユーザ情報サーバ６３を含むシステム。変換装置６４を備えてもよい。）は、予め、前記所定のデータに付加された基地局情報を記憶する記憶手段（例えば、図３におけるユーザ情報サーバ６３）を有し、前記アプリケーションシステムは、移動端末の位置情報が必要な場合、前記記憶手段に記憶した基地局情報を読み出して、前記基地局情報変換装置（例えば、図３における変換装置６４）に、位置情報の変換を要求することを特徴とする移動端末の位置情報通知システム。
【００１５】
請求項３記載の発明によれば、必要な場合に、基地局情報変換装置を用いて、基地局情報を基地局位置情報に変換することができるので、効率的な処理が可能となる。
【００１６】
また、基地局位置情報への変換の要求とその応答が、ネットワーク上を伝送しないので、ネットワークのトラヒックが軽減される。
【００１７】
請求項４に記載された発明は、請求項１ないし３いずれか一項記載の移動端末の位置情報通知システムにおいて、該加入者階梯交換機は、ユーザ認証時、発呼時、着呼応答時及びチャネル切換時の少なくとも所定のデータに対して、基地局情報を付与して移動通信網に送信することを特徴とする。
【００１８】
請求項４記載の発明によれば、加入者階梯交換機は、ユーザ認証時、発呼時、着呼応答時及びチャネル切換時に、基地局情報を所定の送信パケットに付加して送信するので、常時、基地局情報を送信パケットに付加して送信するものに比較して、基地局情報を送信パケットに付加する処理を減らすことができる。
【００１９】
また、移動機が無線ゾーンを変更した場合でも、ゾーン変更に伴うチャネル切換時に基地局情報を送信するので、移動機の位置情報の更新が可能となり、最新の移動機の位置情報を知ることができる。
【００２０】
【発明の実施の形態】
次に、本発明の実施の形態について図面と共に説明する。
本発明のシステム構成図を図１に示す。
【００２１】
図１における移動端末の位置情報通知システムは、移動端末１０１、移動端末１０ｎ、アンテナ２０１、アンテナ２０ｎ、ＰＭＤＥ（パケット変・復調装置）２１１、ＰＭＤＥ２１ｎ、ＰＰＭ（パケット処理モジュール：加入者階梯交換機に相当する。）３０、関門階梯交換機（ＰＧＷ）４０、関門階梯交換機（ＰＧＷ）４１、移動通信用加入者データベース４２、基地局情報変換装置５０、企業ユーザＬＡＮ６０、他のネットワーク６１、Ｗｅｂサーバ６２、ユーザ情報サーバ６３、基地局情報変換装置６４、アプリケーションシステム６５、位置情報データベース６６及びＰＤＣ（Personal  Digital Cellular）−Ｐ（パケット）伝送路７０から構成されている。
【００２２】
なお、アンテナ２０１とＰＭＤＥ２１１とで、一つの無線基地局を構成する。同じく、アンテナ２０ｎとＰＭＤＥ２１ｎで、他の無線基地局を構成する。
【００２３】
企業ユーザＬＡＮ６０に接続されたアプリケーションシステム６５は、移動端末の位置情報を使用するアプリケーションであり、位置情報データベース６６を有している。なお、位置情報データベース６６は、アプリケーションシステム６５の一部であってもよい。
【００２４】
なお、アプリケーションシステム６５は、サービスの申し込み時に移動端末の位置情報を必要とする旨を申告する。ネットワーク側は、サービス開始時に、アプリケーションシステム６５宛のデータは、移動端末の位置情報を必要とする旨を、移動通信用加入者データベース４２に記憶する。
【００２５】
関門階梯交換機４０は、アプリケーションシステム６５宛のデータを受信した場合、移動端末の位置情報を得る処理を行う。
【００２６】
関門階梯交換機４０が、移動端末の位置情報を得るには、基地局情報を基地局情報変換装置５０に送信すると共に、基地局情報を、基地局位置情報に変換することを要求する。
【００２７】
一方、Ｗｅｂサーバ６２は、独自に、基地局情報変換装置６４を有しており、必要が生じた場合、基地局情報変換装置６４を用いて、基地局情報を基地局位置情報に変換して使用する。
（第１の実施の形態）
第１の実施の形態について、企業ユーザＬＡＮ６０に接続されたアプリケーションシステム６５が、移動端末１０の位置情報を利用するシステムであり、システムが利用する位置情報を位置情報データベース６６に蓄積する例により説明する。
【００２８】
移動端末１０１、移動端末１０ｎは、通信時に、アンテナ２０１、アンテナ２０ｎ、ＰＭＤＥ２１１、ＰＭＤＥ２１ｎを介してＰＰＭ３０にデータを送信する。
【００２９】
ＰＰＭ３０は、発呼時、着呼応答時及びチャネル切換時に、移動端末１０１、移動端末１０ｎからのデータに、基地局情報を付加して送信する。この場合は、移動端末１０１、移動端末１０ｎからのデータパケットに、基地局情報（基地局ＩＤ）を付加して、アプリケーションシステム６５宛に送信する。
【００３０】
なお、基地局情報は、ゾーンのコード（ＣＺコード）、ＰＭＤＥのコード、ＰＰＭのコードから構成されている。
【００３１】
アプリケーションシステム６５宛のパケットは、企業ユーザＬＡＮ６０が接続されている関門階梯交換機４０に送られる。関門階梯交換機４０は、アプリケーションシステム６５宛のパケットをアプリケーションシステム６５に送信する。
【００３２】
一方、移動通信用加入者データベース４２を参照して、アプリケーションシステム６５宛のパケットは、移動端末の位置情報を必要とするか否かを判断する。位置情報を必要とする場合は、アプリケーションシステム６５宛のパケットの基地局情報を、基地局情報変換装置５０に送り、変換を要求する。基地局情報変換装置５０は、基地局情報を基地局位置情報に変換して、関門階梯交換機４０に返送する。
【００３３】
関門階梯交換機４０は、基地局位置情報をアプリケーションシステム６５に送信する。
【００３４】
このように、ＰＰＭ３０は、発呼時、着呼応答時及びチャネル切換時にのみ、基地局情報を送信パケットに付加して送信するので、常時、基地局情報を送信パケットに付加して送信するものと比べて、基地局情報を送信パケットに付加する処理を減らすことができる。
【００３５】
また、基地局情報変換装置５０は、関門階梯交換機４０のから基地局情報の変換要求があったときだけ、変換処理を行えば良いので、基地局情報変換装置５０の処理を必要な場合のみに限定することができる。
【００３６】
また、移動端末は、この移動端末の位置情報通知システムのために、特別の装置を有する必要が無く、また、特別の処理を行う必要もない。
【００３７】
図２を用いて、第１の実施の形態における信号処理の流れを説明する。
【００３８】
なお、基地局情報変換装置は、図１に示すように、直接パケット網（ＰＤＣ−Ｐ）に接続しても良いし、基地局情報変換装置をネットワークの外部に設け、関門階梯交換機（変換装置用）を介して、パケット網（ＰＤＣ−Ｐ）に接続しても良い。
【００３９】
図２では、基地局情報変換装置５０が、関門階梯交換機（変換装置用）（図示せず）を介して、パケット網（ＰＤＣ−Ｐ）５０に接続した場合で説明する。
【００４０】
企業ユーザＬＡＮ６０に接続されたアプリケーションシステム６５が、移動端末１０の位置情報を利用するシステムであり、このシステムが利用する位置情報を位置情報データベース６６に蓄積する例である。
【００４１】
なお、ＡＰＬシステム（アプリケーションシステム６５）は、サービスの申し込み時に移動端末の位置情報を必要とする旨を申告する。ネットワーク側は、サービス開始時に、アプリケーションシステム６５宛のデータは、移動端末の位置情報を必要とする旨を、移動通信用加入者データベース４２に記憶している。
【００４２】
ＭＳが、ＡＰＬシステムにパケットデータを送信するに当たり、予め、ＭＳとＰＧＷ（４０）との間で、パケット回線接続及びパスワード等による、ユーザ側認証処理を行う（Ｓ１００）。
【００４３】
その後、ＭＳは、ＰＭＤＥ（パケット変・復調装置）にユーザデータの送信を行う（Ｓ１０１）。ユーザデータを受信したＰＭＤＥは、ＰＰＭ（パケット処理モジュール：加入者階梯交換機に相当する。）に受信したユーザデータを送信する（Ｓ１０２）。
【００４４】
ＰＰＭは、ゾーンのコード（ＣＺコード）、ＰＭＤＥのコード、ＰＰＭのコードから構成される基地局情報を設定する（Ｓ１０３）。ＰＰＭは、この基地局情報を、受信ユーザデータに付加して、ＰＧＷ（４０）に送信する（Ｓ１０４）。
【００４５】
ＰＧＷ（４０）は、ユーザデータをＡＰＬシステムに送信する（Ｓ１０５）。一方、ＰＧＷ（４０）は、移動通信用加入者データベース４２を参照して、位置情報の要求を行うか否かを判断する（Ｓ１０６）。この場合、ＡＰＬシステム宛のユーザデータパケットは、位置情報を必要とすることから、ＡＰＬシステム宛のパケットから抽出した基地局情報を、ＰＧＷ（変換装置用）に送り、変換を要求する（Ｓ１０７）。
【００４６】
ＰＧＷ（変換装置用）は、同様に、変換装置（５０）（基地局情報変換装置５０）に変換を要求する（Ｓ１０８）。
【００４７】
変換装置（５０）は、基地局情報を基地局位置情報に変換する（Ｓ１０９）。その後、変換装置（５０）は、変換した基地局位置情報をＰＧＷ（変換装置用）に送信する（Ｓ１１０）。ＰＧＷ（変換装置用）は、さらに、基地局位置情報を、ＰＧＷ（４０）に送信する（Ｓ１１１）。
【００４８】
ＰＧＷ（４０）は、位置情報ＤＢに通知する（Ｓ１１２）。
【００４９】
また、ＭＳが移動し、ゾーンエリアを変更し、その結果、チャネル切換処理が行われた（Ｓ１１３）場合でも、上記Ｓ１０１からＳ１１２の処理と同様の処理が行われて、ＰＧＷ（４０）は、位置情報ＤＢに、新しい移動端末の位置情報に送信する。
（第２の実施の形態）
第２の実施の形態を図３に示す。
【００５０】
図３における移動端末の位置情報通知システムは、図１のシステム構成と同じである。
【００５１】
第２の実施の形態について、関門階梯交換機４１に接続されたＷｅｂサーバ６２のアプリケーションが、移動端末１０の位置情報を利用するアプリケーションであり、基地局情報変換装置６４により、基地局情報を基地局位置情報に変換して利用する例により説明する。
【００５２】
移動端末１０と関門階梯交換機４１間のパケット回線接続処理が終了し、ユーザ側認証処理を行う。
【００５３】
この認証段階で、加入者階梯交換機（ＰＰＭ）３０は、移動端末１０１、移動端末１０ｎからの認証データパケットに、基地局情報（基地局ＩＤ）を付加して、ユーザ情報サーバ６３宛に送信する。
【００５４】
Ｗｅｂサーバ６２宛の認証データパケットは、関門階梯交換機４１に送られる。関門階梯交換機４１は、Ｗｅｂサーバ６２宛の認証データパケットをユーザ情報サーバ６３に送信する。ユーザ情報サーバ６３では、認証処理を行い、併せて、認証データパケットに付加された基地局情報を蓄積する。
【００５５】
認証後、Ｗｅｂサーバ６２は、移動端末の位置情報が必要な場合、ユーザ情報サーバ６３に蓄積された基地局情報を取得し、基地局情報変換装置６４に、基地局位置情報への変換を要求する。
【００５６】
基地局情報変換装置６４は、基地局情報を基地局位置情報に変換し、Ｗｅｂサーバ６２に変換した基地局位置情報を返す。
【００５７】
このように、ユーザ側認証処理時に、基地局情報の授受を行い、Ｗｅｂサーバ６２は、必要な場合に、基地局情報変換装置６４を用いて、基地局情報を基地局位置情報に変換することができるので、効率的な処理が可能となる。
【００５８】
基地局位置情報への変換の要求とその応答が、ネットワーク上を伝送しないので、ネットワークのトラヒックが軽減される。
【００５９】
また、第１の実施の形態と同じく、移動端末は、この移動端末の位置情報通知システムのために、特別の装置を有する必要が無く、特別の処理を行う必要もない。
【００６０】
図４を用いて、第２の実施の形態における信号処理の流れを説明する。
【００６１】
ＰＧＷ（４１）（関門階梯交換機４１）に接続されたＡＰＬサーバ（Ｗｅｂサーバ６２）のアプリケーションが、ＭＳ（移動端末１０）の位置情報を利用するアプリケーションであり、変換装置（６４）（基地局情報変換装置６４）により、基地局情報を基地局位置情報に変換して利用する例により説明する。
【００６２】
ＭＳとＰＧＷ（４１）間のパケット回線接続処理が終了する（Ｓ２００）
その後、ユーザ側認証処理を行う。先ず、ＭＳは、ＰＭＤＥ（パケット変・復調装置）にパスワード等を含むユーザ側認証用のユーザデータの送信を行う（Ｓ２０１）。パスワード等を含むユーザ側認証用のユーザデータを受信したＰＭＤＥは、ＰＰＭ（パケット処理モジュール：加入者階梯交換機に相当する。）に受信したユーザデータを送信する（Ｓ２０２）。
【００６３】
ＰＰＭは、ゾーンのコード（ＣＺコード）、ＰＭＤＥのコード、ＰＰＭのコードから構成される基地局情報を設定する（Ｓ２０３）。ＰＰＭは、この基地局情報を、受信ユーザデータに付加して、ＰＧＷ（４１）に送信する（Ｓ２０４）。
【００６４】
ＰＧＷ（４１）は、ユーザ側認証用のユーザデータをユーザ情報サーバに送信する（Ｓ２０５）。
【００６５】
ユーザ情報サーバでは、認証処理（Ｓ２０６）を行い、併せて、ユーザ側認証用のユーザデータに付加された基地局情報を蓄積する（Ｓ２０６）。その後、ユーザ情報サーバは、認証結果を、ＰＧＷ（４１）、ＰＰＭ、ＰＭＤＥを介して、ＭＳに通知する（Ｓ２０７〜Ｓ２１０）。
【００６６】
ユーザ側認証処理後、ＭＳは、ユーザデータを、ＡＰＬサーバ宛に送信する。
【００６７】
このユーザデータは、ＰＭＤＥ、ＰＰＭ、ＰＧＷ（４１）を経由して、ＡＰＬサーバに到着する（Ｓ２１１〜Ｓ２１４）。
【００６８】
ＡＰＬサーバが、基地局位置情報を必要とする場合、ＡＰＬサーバは、基地局情報を、ユーザ情報サーバに要求する（Ｓ２１５）。ユーザ情報サーバでは、基地局情報を読み出して、ＡＰＬサーバに応答する（Ｓ２１６）。
【００６９】
ＡＰＬサーバでは、この基地局情報を基地局位置情報に変換することを、変換装置（６４）に要求する（Ｓ２１７）。
【００７０】
変換装置（６４）は、基地局情報を基地局位置情報に変換する（Ｓ２１８）。その後、変換装置（６４）は、基地局位置情報をＡＰＬサーバに返送する（Ｓ２１９）。
【００７１】
ＡＰＬサーバでは、基地局位置情報をＭＳの位置情報とみなして処理を行う（Ｓ２２０）。例えば、ＭＳの位置に応じた、画面を作成する。この画面を、ＰＧＷ（４１）、ＰＰＭ、ＰＭＤＥを介して、ＭＳに通知する（Ｓ２２１〜Ｓ２２４）。
【００７２】
また、第１の実施の形態と同じく、ＭＳが移動し、ゾーンエリアを変更し、その結果、チャネル切換処理が行われた（Ｓ２２５）場合も、上記Ｓ２０１からＳ２２４の処理と同様の処理が行われて、ＡＰＬサーバでは、新しいＭＳの位置に応じた画面を作成し、ＭＳに通知することができる。
【００７３】
なお、上記実施の形態では、パケット交換網の例について説明したが、同様に、回線交換網であっても、本発明を実施することができる。
【００７４】
【発明の効果】
上述の如く本発明によれば、次に述べる種々の効果を奏することができる。
【００７５】
請求項１記載の発明によれば、移動機において格別の装置又は処理を必要とせず、さらに、システムとして変換処理に係る装置及び位置情報通知の処理を減らした移動端末の位置情報通知システムを提供することができる。
【００７６】
請求項２記載の発明によれば、基地局情報変換装置は、関門階梯交換機から基地局情報の変換要求があった場合だけ変換処理を行えば良いので、効率的な変換処理を行うことができる。
【００７７】
請求項３記載の発明によれば、必要な場合に、基地局情報変換装置を用いて、基地局情報を基地局位置情報に変換することができるので、効率的な処理が可能となる。
【００７８】
また、基地局位置情報への変換の要求とその応答が、ネットワーク上を伝送しないので、ネットワークのトラヒックが軽減される。
【００７９】
請求項４記載の発明によれば、加入者階梯交換機は、ユーザ認証時、発呼時、着呼応答時及びチャネル切換時に、基地局情報を所定の送信パケットに付加して送信するので、常時、基地局情報を送信パケットに付加して送信するものに比較して、基地局情報を送信パケットに付加する処理を減らすことができる。
【００８０】
また、移動機が無線ゾーンを変更した場合でも、ゾーン変更に伴うチャネル切換時に基地局情報を送信するので、移動機の位置情報の更新が可能となり、最新の移動機の位置情報を知ることができる。
【００８１】
【図面の簡単な説明】
【図１】本発明のシステム構成図であり、第１の実施の形態を説明するための図である。
【図２】第１の実施の形態の処理フローを説明するための図である。
【図３】第２の実施の形態を説明するための図である。
【図４】第２の実施の形態の処理フローを説明するための図である。
【符号の説明】
１０    移動端末
２０    アンテナ
２１    ＰＭＤＥ（パケット変・復調装置）
３０    ＰＰＭ（パケット処理モジュール：加入者階梯交換機に相当する。）
４０、４１    ＰＧＷ（関門階梯交換機）
４２    移動通信用加入者データベース
５０、６４    基地局情報変換装置
６０    企業ユーザＬＡＮ
６２    Ｗｅｂサーバ（ＡＰＬサーバ）
６３    ユーザ情報サーバ
６５    アプリケーションシステム
６６    位置情報データベース
【図１】
0003715539.tif 000002
【図２】
0003715539.tif 000003
【図３】
0003715539.tif 000004
【図４】
0003715539.tif 000005